(57)【要約】【課題】載置板の高さ位置調整を容易かつ確実に行うことができる載置台を提供する。【解決手段】複数の平板２１〜２６を互いに交差又は平行に配置して形成した載置台５０であって、載置台５０全体を回転させて複数の設置姿勢を選択可能であり、複数の設置姿勢毎に複数の平板２１〜２６のいずれか一つが被載置物を載置する載置面５０Ａ〜５０Ｅを形成し、載置面５０Ａ〜５０Ｅの載置高がそれぞれ異なる。【選択図】図９
2014094232.tif 000002
【特許請求の範囲】
【請求項１】
複数の平板を互いに交差又は平行に配置して形成した載置台であって、
載置台全体を回転させて複数の設置姿勢を選択可能であり、
前記複数の設置姿勢毎に前記複数の平板のいずれか一つが被載置物を載置する載置面を形成し、前記載置面の載置高がそれぞれ異なる
ことを特徴とする載置台。
【請求項２】
前記載置面のそれぞれは、少なくとも一つの水平方向と上方向の二方向が開放されることを特徴とする請求項１に記載の載置台。
【請求項３】
前記載置面は、三つ以上五つ以下であることを特徴とする請求項１又は２に記載の載置台。
【請求項４】
前記載置面は、四つ又は五つであることを特徴とする請求項３に記載の載置台。
【請求項５】
前記載置面は、五つであることを特徴とする請求項４に記載の載置台。
【請求項６】
前記被載置物は、表示装置又は投射型表示装置であることを特徴とする請求項１から５のうちいずれか一項に記載の載置台。
【請求項７】
前記複数の平板のうちの少なくとも一つは、前記電子機器に接続されるケーブルを挿通する貫通孔を有することを特徴とする請求項６に記載の載置台。
【請求項８】
前記複数の平板に対して着脱可能であり、前記複数の設置姿勢毎に前記載置面に対して背向する部位に取り付けられる複数のキャスターを備えることを特徴とする請求項１から７のうちいずれか一項に記載の載置台。
【発明の詳細な説明】
【技術分野】
【０００１】
本願発明は、載置台に関する。
【背景技術】
【０００２】
プロジェクタ等を載せる載置台が知られている。載置板の高さ方向の位置を段階的又は任意に変更して、プロジェクタの載置高（床面からの高さ）を調整するものがある。
【先行技術文献】
【特許文献】
【０００３】
【特許文献１】特開２０００−２６７１９１号公報
【発明の概要】
【発明が解決しようとする課題】
【０００４】
載置板の高さ方向の位置を調整（変更）可能にするためには、例えばスライドレールやクランプボルト等からなる調整機構が必要となる。そして、利用者がこの調整機構を操作して載置板を移動させなければならない。
しかしながら、調整機構を設けるため、載置台のコスト上昇を招いてしまう。また、調整機構の操作性が悪い場合等には、載置板がガタついたりしてしまう。そもそも利用者にとって調整機構の操作自体が煩わしいと感じられている。
【０００５】
本発明は、上述した事情に鑑みてなされたもので、載置板の高さ位置調整を容易かつ確実に行うことができる載置台を提供することを目的とする。
【課題を解決するための手段】
【０００６】
本発明に係る載置台では、上記課題を解決するために以下の手段を採用した。
本発明に係る載置台は、複数の平板を互いに交差又は平行に配置して形成した載置台であって、載置台全体を回転させて複数の設置姿勢を選択可能であり、前記複数の設置姿勢毎に前記複数の平板のいずれか一つが被載置物を載置する載置面を形成し、前記載置面の載置高がそれぞれ異なることを特徴とする。
【０００７】
前記載置面のそれぞれは、少なくとも一つの水平方向と上方向の二方向が開放されることを特徴とする。
【０００８】
前記載置面は、三つ以上五つ以下であることを特徴とする。
前記載置面は、四つ又は五つであることを特徴とする。
前記載置面は、五つであることを特徴とする。
【０００９】
前記被載置物は、表示装置又は投射型表示装置であることを特徴とする。
前記複数の平板のうちの少なくとも一つは、前記電子機器に接続されるケーブルを挿通する貫通孔を有することを特徴とする。
【００１０】
前記複数の平板に対して着脱可能であり、前記複数の設置姿勢毎に前記載置面に対して背向する部位に取り付けられる複数のキャスターを備えることを特徴とする。
【発明の効果】
【００１１】
本発明の載置台は、載置台の設置姿勢を変更するだけで、載置板の高さ位置調整を行うことができる。載置板の高さ位置を調整する調整機構が存在しないので、載置板がガタつくことはなく、また、載置台の低コスト化が図られる。さらに、載置台の設置姿勢を変更するという容易な操作のみなので、操作の煩わしさを低減できる。
【図面の簡単な説明】
【００１２】
【図１】本発明の第一実施形態に係る載置台（三面Ａタイプ）を示す三面図である。
【図２】載置台の姿勢変更を示す図である。
【図３】本発明の第二実施形態に係る載置台（三面Ｂタイプ）を示す三面図である。
【図４】載置台の姿勢変更を示す図である。
【図５】本発明の第三実施形態に係る載置台（四面Ａタイプ）を示す三面図である。
【図６】載置台の姿勢変更を示す図である。
【図７】本発明の第四実施形態に係る載置台（四面Ｂタイプ）を示す三面図である。
【図８】載置台の姿勢変更を示す図である。
【図９】本発明の第五実施形態に係る載置台（五面Ａタイプ）を示す三面図である。
【図１０】載置台の姿勢変更を示す図である。
【図１１】本発明の第六実施形態に係る載置台（五面Ｂタイプ）を示す三面図である。
【図１２】載置台の姿勢変更を示す図である。
【発明を実施するための形態】
【００１３】
以下、本発明に係る載置台の第一〜第六実施形態〜について図面を参照して説明する。
〔第一実施形態：三面Ａタイプ〕
図１は、本発明の第一実施形態に係る載置台１０を示す三面図である。図１は、載置台１０が第一姿勢の状態を示す。
載置台１０は、プロジェクタ（投射型表示装置）やノートパソコン（表示装置）を載せて使用するための台である。載置台１０は、載置したプロジェクタやパソコンの載置高（床面からの高さ）を三段階に調整(変更)できる機能を有する。
【００１４】
載置台１０は、矩形の平板１１〜１６を互いに交差又は平行に配置して、六面体状（箱状）に形成した構造物である。
平板１１，１２は、同一形状の平板であり、図１に示す第一姿勢において鉛直方向に立設し、かつ、平行配置される。
平板１３は、平板１１，１２の上辺同士の間に架け渡されるように配置される。平板１３は、平板１１，１２に対して直行する。平板１３の中央には、電気コード類を挿通できる貫通孔１３Ｈが形成される。
平板１４は、平板１１〜１３の一方の側辺の全てに接するように立設配置される。平板１４は、平板１１〜１３に対して直行する。
平板１５は、平板１４と同一形状であり、平板１１〜１３に囲まれた空間を鉛直方向に分割するように、平板１１〜１３の内面に接するように配置される。平板１５は、平板１１〜１３に対して直行し、平板１４に対して平行である。平板１５は、平板１１〜１３に囲まれた空間の中心（中央）よりも平板１４に近接する位置に配置される。
平板１６は、平板１１，１２，１４，１５の一方の側辺の全てに接するように配置される。平板１６は、平板１１，１２，１４，１５に対して直行し、平板１３に対して平行である。載置台１０には、平板１１〜１６に囲まれた閉空間が形成される。
【００１５】
後述するように、載置台１０は、平板１３の外面１３ａ、平板１４の外面１４ａ及び平板１５の外面１５ａをプロジェクタやノートパソコンを載せる載置面１０Ａ〜１０Ｃとして機能する。
平板１３の外面１３ａは、載置台１０の第一姿勢において載置面１０Ａとして機能する。
平板１４の外面１４ａは、載置台１０の第二姿勢において載置面１０Ｂとして機能する。
平板１５の外面１５ａは、載置台１０の第三姿勢において載置面１０Ｃとして機能する。
【００１６】
また、載置台１０は、第一〜第三姿勢のいずれにおいても、床面等との間に配置可能な４つのキャスター８０を備える。キャスター８０は、平板１１〜１６に対して着脱可能である。
キャスター８０は、第一〜第三姿勢において、床面等に対向する底部の四隅に配置される。したがって、載置台１０は、キャスター８０の作用により、第一〜第三姿勢のいずれにおいても床面等上を円滑に移動できる。
【００１７】
図２は、載置台１０の姿勢変更を示す図であって、（ａ）は第一姿勢、（ｂ）は第二姿勢、（ｃ）は第三姿勢を示す。
載置台１０は、載置台１０全体を回転させることにより、複数の設置姿勢（第一〜第三姿勢）を任意に選択可能である。
【００１８】
図２（ａ）に示すように、第一姿勢では、載置台１０は、平板１３が水平となり、外面１３ａが上方を向く。したがって、平板１３の外面１３ａを載置面１０Ａとして用いることができる。
載置面１０Ａ（外面１３ａ）において、水平方向及び上方向には、他の平板（平板１１，１２，１４〜１６）が存在しない開放状態となっている。
第一姿勢における載置台１０の載置面１０Ａ（外面１３ａ）は、床面等から７００ｍｍの高さの位置にある（載置高）。
【００１９】
図２（ｂ）に示すように、第二姿勢では、載置台１０は、平板１４が水平となり、外面１４ａが上方を向く。したがって、平板１４の外面１４ａを載置面１０Ｂとして用いることができる。
載置面１０Ｂ（外面１４ａ）において、水平方向及び上方向には、他の平板（平板１１〜１３，１５，１６）が存在しない開放状態となっている。
第二姿勢における載置台１０の載置面１０Ｂ（外面１４ａ）は、床面等から５００ｍｍの高さの位置にある（載置高）。
【００２０】
図２（ｃ）に示すように、第三姿勢では、載置台１０は、平板１５が水平となり、外面１５ａが上方を向く。したがって、平板１５の外面１５ａを載置面１０Ｃとして用いることができる。
載置面１０Ｃ（外面１５ａ）において、一つの水平方向（図２（ｃ）において右側）及び上方向には、他の平板（平板１１〜１４，１６）が存在しない開放状態となっている。
第三姿勢における載置台１０の載置面１０Ｃ（外面１５ａ）は、床面等から３００ｍｍの高さの位置にある（載置高）。
【００２１】
載置台１０は、載置台１０の設置姿勢を変更するだけで、載置高が異なる３つの載置面１０Ａ〜１０Ｃを任意に選択できる。載置高を調整する調整機構が存在しないので、載置面１０Ａ〜１０Ｃがガタつくことはなく、また、載置台１０の低コスト化が図られる。さらに、載置台１０の設置姿勢を変更するという容易な操作のみなので、操作の煩わしさを低減できる。
【００２２】
〔第二実施形態：三面Ｂタイプ〕
図３は、本発明の第二実施形態に係る載置台２０を示す三面図である。図３は、載置台２０が第一姿勢の状態を示す。
載置台２０は、矩形の平板１７を備えている点で、載置台１０とは異なっている。平板１７は、載置台２０の意匠性を高めるために追加された部材である。
載置台２０において、載置台１０と同一部材には、同一の符号を付してその説明を省略する。
【００２３】
平板１７は、平板１１，１２，１５に囲まれた空間に配置され、平板１１，１２に対して直行し、平板１３，１５に対して交差する。平板１７は、短辺が平板１１，１２の内面に接し、長辺の一方が平板１３の側辺に接し、他方が平板１５の外面１５ａに接する。
平板１７の中央には、貫通孔１７Ｈが形成され、平板１３の貫通孔１３Ｈとともに電気コード類を挿通可能である。
【００２４】
図４は、載置台２０の姿勢変更を示す図であって、（ａ）は第一姿勢、（ｂ）は第二姿勢、（ｃ）は第三姿勢を示す。
載置台２０の姿勢変更は、載置台１０と同一であるので、その説明を省略する。
【００２５】
載置台２０は、載置台２０の設置姿勢を変更するだけで、載置高が異なる３つの載置面１０Ａ〜１０Ｃを任意に選択できる。載置高を調整する調整機構が存在しないので、載置面１０Ａ〜１０Ｃがガタつくことはなく、また、載置台２０の低コスト化が図られる。さらに、載置台２０の設置姿勢を変更するという容易な操作のみなので、操作の煩わしさを低減できる。
【００２６】
〔第三実施形態：四面Ａタイプ〕
図５は、本発明の第三実施形態に係る載置台３０を示す三面図である。図５は、載置台３０が第二姿勢の状態を示す。
載置台３０は、プロジェクタやノートパソコンを載せて使用するための台である。載置台３０は、載置したプロジェクタやパソコンの載置高（床面からの高さ）を四段階に調整(変更)できる機能を有する。
【００２７】
載置台３０は、矩形の平板２１〜２６を互いに交差又は平行に配置して、六面体状（箱状）に形成した構造物である。
平板２１は、図５に示す第二姿勢において鉛直方向に立設する。
平板２２，２４は、ほぼ同一形状の平板であり、平板２１の上辺及び下辺に接すると共に、水平方向に平行配置される。平板２２，２４は、平板２１に対して直行し、平板２１を中心にして対称に配置される。つまり、平板２２，２４の内面の中央に平板２１が配置される。
平板２３は、平板２１，２２，２４の一方の側辺の全てに接するように、鉛直方向に立設される。平板２３の上辺部は、平板２２よりも上方まで配置される。平板２３には、電気コード類を挿通できる３つの貫通孔２３Ｈが形成される。貫通孔２３Ｈは、平板２１の第一面２１ａ側、第二面２１ｂ側、平板２２の外面２２ａ側にそれぞれ形成される。
平板２５，２６は、同一形状であり、平板２２と平板２３の上辺部に接するように立設し、かつ、互いに平行に配置される。平板２５，２６は、平板２２，２３に対して直行する。
【００２８】
後述するように、載置台３０は、平板２１の第一面２１ａ、平板２２の外面２２ａ、平板２３の外面２３ａ及び平板２４の外面２４ａをプロジェクタやノートパソコンを載せる載置面３０Ａ〜３０Ｄとして機能する。
平板２４の外面２４ａは、載置台３０の第一姿勢において載置面３０Ａとして機能する。
平板２２の外面２２ａは、載置台３０の第二姿勢において載置面３０Ｂとして機能する。
平板２３の外面２３ａは、載置台３０の第三姿勢において載置面３０Ｃとして機能する。
平板２１の第一面２１ａは、載置台３０の第四姿勢において載置面３０Ｄとして機能する。
【００２９】
また、載置台３０は、第一〜第四姿勢のいずれにおいても、床面等との間に配置可能なキャスター８０を備える。キャスター８０は、平板２１〜２６に対して着脱可能である。
キャスター８０は、第一〜第四姿勢において、床面等に対向する底部の四隅に配置される。したがって、載置台３０は、キャスター８０の作用により、第一〜第四姿勢のいずれにおいても床面等上を円滑に移動できる。
【００３０】
図６は、載置台３０の姿勢変更を示す図であって、（ａ）は第一姿勢、（ｂ）は第二姿勢、（ｃ）は第三姿勢、（ｄ）は第四姿勢を示す。
載置台３０は、載置台３０全体を回転させることにより、複数の設置姿勢（第一〜第四姿勢）を任意に選択可能である。
【００３１】
図６（ａ）に示すように、第一姿勢では、載置台３０は、平板２４が水平となり、外面２４ａが上方を向く。したがって、平板２４の外面２４ａを載置面３０Ａとして用いることができる。
載置面３０Ａ（外面２４ａ）において、水平方向及び上方向には、他の平板（平板２１〜２３，２５，２６）が存在しない開放状態となっている。
第一姿勢における載置台３０の載置面３０Ａ（外面２４ａ）は、床面等から７００ｍｍの高さの位置にある（載置高）。
【００３２】
図６（ｂ）に示すように、第二姿勢では、載置台３０は、平板２２が水平となり、外面２２ａが上方を向く。したがって、平板２２の外面２２ａを載置面３０Ｂとして用いることができる。
載置面３０Ｂ（外面２２ａ）において、一つの水平方向（図５（ｂ）において右側）及び上方向には、他の平板（平板２１，２３〜２６）が存在しない開放状態となっている。
第二姿勢における載置台３０の載置面３０Ｂ（外面２２ａ）は、床面等から６００ｍｍの高さの位置にある（載置高）。
【００３３】
図６（ｃ）に示すように、第三姿勢では、載置台３０は、平板２３が水平となり、外面２３ａが上方を向く。したがって、平板２３の外面２３ａを載置面３０Ｃとして用いることができる。
載置面３０Ｃ（外面２３ａ）において、水平方向及び上方向には、他の平板（平板２１，２２，２４〜２６）が存在しない開放状態となっている。
第三姿勢における載置台３０の載置面３０Ｃ（外面２３ａ）は、床面等から５００ｍｍの高さの位置にある（載置高）。
【００３４】
図６（ｄ）に示すように、第四姿勢では、載置台３０は、平板２１が水平となり、第一面２１ａが上方を向く。したがって、平板２１の第一面２１ａを載置面３０Ｄとして用いることができる。
載置面３０Ｄ（第一面２１ａ）において、一つの水平方向（図６（ｄ）において紙面前方）及び上方向には、他の平板（平板２２〜２６）が存在しない開放状態となっている。
第四姿勢における載置台３０の載置面３０Ｄ（第一面２１ａ）は、床面等から４００ｍｍの高さの位置にある（載置高）。
【００３５】
載置台３０は、載置台３０の設置姿勢を変更するだけで、載置高が異なる４つの載置面３０Ａ〜３０Ｄを任意に選択できる。載置高を調整する調整機構が存在しないので、載置面３０Ａ〜３０Ｄがガタつくことはなく、また、載置台３０の低コスト化が図られる。さらに、載置台３０の設置姿勢を変更するという容易な操作のみなので、操作の煩わしさを低減できる。
【００３６】
〔第四実施形態：四面Ｂタイプ〕
図７は、本発明の第四実施形態に係る載置台４０を示す三面図である。図７は、載置台４０が第二姿勢の状態を示す。
載置台４０は、平板２５，２６がＬ字形に形成される点で、載置台３０とは異なっている。また、載置台４０は、矩形の平板２７，２８を備えている点で、載置台３０とは異なっている。
平板２５，２６をＬ字形にしたのは、載置台４０の意匠性を高めるためである。平板２７，２８は、載置台４０の意匠性を高めるために追加された部材である。
載置台４０において、載置台３０と同一部材には、同一の符号を付してその説明を省略する。
【００３７】
平板２５，２６は、同一形状であり、平板２２と平板２３の側辺にそれぞれ接し、かつ、互いに平行に配置される。平板２５，２６は、平板２２〜２４に対して直行し、平板２１に対して平行である。
平板２７，２８は、平板２４の外面２４ａのうち、対向する側辺に沿って配置されると共に、互いに平行配置された細長い部材である。平板２７，２８は、平板２１，２２，２４に対して直行し、平板２３に対して平行である。
【００３８】
図８は、載置台４０の姿勢変更を示す図であって、（ａ）は第一姿勢、（ｂ）は第二姿勢、（ｃ）は第三姿勢、（ｄ）は第四姿勢を示す。
載置台４０の姿勢変更は、載置台３０と同一であるので、その説明を省略する。
【００３９】
載置台４０は、載置台４０の設置姿勢を変更するだけで、載置高が異なる４つの載置面３０Ａ〜３０Ｄを任意に選択できる。載置高を調整する調整機構が存在しないので、載置面３０Ａ〜３０Ｄがガタつくことはなく、また、載置台４０の低コスト化が図られる。さらに、載置台４０の設置姿勢を変更するという容易な操作のみなので、操作の煩わしさを低減できる。
【００４０】
〔第五実施形態：五面Ａタイプ〕
図９は、本発明の第五実施形態に係る載置台５０を示す三面図である。図９は、載置台５０が第二姿勢の状態を示す。
載置台５０は、プロジェクタやノートパソコンを載せて使用するための台である。載置台５０は、載置したプロジェクタやパソコンの載置高（床面からの高さ）を五段階に調整(変更)できる機能を有する。
【００４１】
載置台５０は、載置台３０と同様に、矩形の平板２１〜２６を互いに交差又は平行に配置して、六面体状（箱状）に形成した構造物である。載置台３０と同一部材には、同一の符号を付してその説明を省略する。
載置台５０は、平板２１の配置位置が、載置台３０とは異なっている。すなわち、平板２１は、第二姿勢において、平板２２，２４の内面の中央から水平方向に平行移動した位置に配置される。
【００４２】
後述するように、載置台５０は、平板２１の第一面２１ａ、平板２１の第二面２１ｂ、平板２２の外面２２ａ、平板２３の外面２３ａ及び平板２４の外面２４ａをプロジェクタやノートパソコンを載せる載置面５０Ａ〜５０Ｅとして機能する。
平板２４の外面２４ａは、載置台５０の第一姿勢において載置面５０Ａとして機能する。
平板２２の外面２２ａは、載置台５０の第二姿勢において載置面５０Ｂとして機能する。
平板２３の外面２３ａは、載置台５０の第三姿勢において載置面５０Ｃとして機能する。
平板２１の第二面２１ｂは、載置台５０の第四姿勢において載置面５０Ｄとして機能する。
平板２１の第一面２１ａは、載置台５０の第五姿勢において載置面５０Ｅとして機能する。
【００４３】
図１０は、載置台５０の姿勢変更を示す図であって、（ａ）は第一姿勢、（ｂ）は第二姿勢、（ｃ）は第三姿勢、（ｄ）は第四姿勢、（ｅ）は第五姿勢を示す。
載置台５０は、載置台５０全体を回転させることにより、複数の設置姿勢（第一〜第五姿勢）を任意に選択可能である。
【００４４】
図１０（ａ）に示すように、第一姿勢では、載置台５０は、平板２４が水平となり、外面２４ａが上方を向く。したがって、平板２４の外面２４ａを載置面５０Ａとして用いることができる。
載置面５０Ａ（外面２４ａ）において、水平方向及び上方向には、他の平板（平板２１〜２３，２５，２６）が存在しない開放状態となっている。
第一姿勢における載置台５０の載置面５０Ａ（外面２４ａ）は、床面等から７００ｍｍの高さの位置にある（載置高）。
【００４５】
図１０（ｂ）に示すように、第二姿勢では、載置台５０は、平板２２が水平となり、外面２２ａが上方を向く。したがって、平板２２の外面２２ａを載置面５０Ｂとして用いることができる。
載置面５０Ｂ（外面２２ａ）において、一つの水平方向（図１０（ｂ）において右側）及び上方向には、他の平板（平板２１，２３〜２６）が存在しない開放状態となっている。
第二姿勢における載置台５０の載置面５０Ｂ（外面２２ａ）は、床面等から６００ｍｍの高さの位置にある（載置高）。
【００４６】
図１０（ｃ）に示すように、第三姿勢では、載置台５０は、平板２３が水平となり、外面２３ａが上方を向く。したがって、平板２３の外面２３ａを載置面５０Ｃとして用いることができる。
載置面５０Ｃ（外面２３ａ）において、水平方向及び上方向には、他の平板（平板２１，２２，２４〜２６）が存在しない開放状態となっている。
第三姿勢における載置台５０の載置面５０Ｃ（外面２３ａ）は、床面等から５００ｍｍの高さの位置にある（載置高）。
【００４７】
図１０（ｄ）に示すように、第四姿勢では、載置台５０は、平板２１が水平となり、第二面２１ｂが上方を向く。したがって、平板２１の第二面２１ｂを載置面５０Ｄとして用いることができる。
載置面５０Ｄ（第二面２１ｂ）において、一つの水平方向（図１０（ｄ）において紙面前方）及び上方向には、他の平板（平板２２〜２６）が存在しない開放状態となっている。
第四姿勢における載置台５０の載置面５０Ｄ（第二面２１ｂ）は、床面等から４００ｍｍの高さの位置にある（載置高）。
【００４８】
図１０（ｅ）に示すように、第五姿勢では、載置台５０は、平板２１が水平となり、第一面２１ａが上方を向く。したがって、平板２１の第一面２１ａを載置面５０Ｅとして用いることができる。
載置面５０Ｅ（第一面２１ａ）において、一つの水平方向（図５（ｅ）において紙面前方）及び上方向には、他の平板（平板２２〜２６）が存在しない開放状態となっている。
第五姿勢における載置台５０の載置面５０Ｅ（第一面２１ａ）は、床面等から３００ｍｍの高さの位置にある（載置高）。
【００４９】
載置台５０は、載置台５０の設置姿勢を変更するだけで、載置高が異なる５つの載置面５０Ａ〜５０Ｅを任意に選択できる。載置高を調整する調整機構が存在しないので、載置面５０Ａ〜５０Ｅがガタつくことはなく、また、載置台５０の低コスト化が図られる。さらに、載置台５０の設置姿勢を変更するという容易な操作のみなので、操作の煩わしさを低減できる。
【００５０】
〔第六実施形態：五面Ｂタイプ〕
図１１は、本発明の第六実施形態に係る載置台６０を示す三面図である。図１１は、載置台６０が第二姿勢の状態を示す。
載置台６０は、載置台４０と同様に、平板２５，２６がＬ字形に形成される点で、載置台３０，５０とは異なっている。また、載置台６０は、載置台４０と同様に、矩形の平板２７，２８を備えている点で、載置台３０，５０とは異なっている。
載置台６０において、載置台３０〜５０と同一部材には、同一の符号を付してその説明を省略する。
【００５１】
図１２は、載置台６０の姿勢変更を示す図であって、（ａ）は第一姿勢、（ｂ）は第二姿勢、（ｃ）は第三姿勢、（ｄ）は第四姿勢、（ｅ）は第五姿勢を示す。
を示す。
載置台６０の姿勢変更は、載置台５０と同一であるので、その説明を省略する。
【００５２】
載置台６０は、載置台６０の設置姿勢を変更するだけで、載置高が異なる５つの載置面５０Ａ〜５０Ｅを任意に選択できる。載置高を調整する調整機構が存在しないので、載置面５０Ａ〜５０Ｅがガタつくことはなく、また、載置台５０の低コスト化が図られる。さらに、載置台５０の設置姿勢を変更するという容易な操作のみなので、操作の煩わしさを低減できる。
【００５３】
上述した実施形態において示した各構成部材の諸形状や組み合わせ等は一例であって、本発明の主旨から逸脱しない範囲において設計要求等に基づき種々変更可能である。
【００５４】
載置台１０〜６０が、着脱可能なキャスター８０を備える場合について説明したが、これに限らない。固定式のキャスターを複数備える場合であってもよい。また、キャスターを全く備えずに、載置台１０〜６０が直に床面等の上に置かれる場合であってもよい。
【００５５】
ケーブルが挿通される貫通孔の形状、位置、数は、上述した実施形態の例に限定されない。意匠性を向上させる等の目的で、多数の貫通孔を設ける等してもよい。また、貫通孔を全く備えない場合であってもよい。
【符号の説明】
【００５６】
１０〜６０…載置台
１１〜１６，２１〜２６…平板
１０Ａ〜１０Ｃ，３０Ａ〜３０Ｄ，５０Ａ〜５０Ｅ…載置面
１３Ｈ，２３Ｈ…貫通孔
８０…キャスター
【図１】
2014094232.tif 000003
【図２】
2014094232.tif 000004
【図３】
2014094232.tif 000005
【図４】
2014094232.tif 000006
【図５】
2014094232.tif 000007
【図６】
2014094232.tif 000008
【図７】
2014094232.tif 000009
【図８】
2014094232.tif 000010
【図９】
2014094232.tif 000011
【図１０】
2014094232.tif 000012
【図１１】
2014094232.tif 000013
【図１２】
2014094232.tif 000014